(57)【要約】【課題】ＨＴＭＬにカメラの制御を行う特殊属性記述を定義し、その特殊属性記述を実行することにより、カメラで撮影された動画像から容易にフレーム付きの静止画像を作成する。【解決手段】制御部１１のブラウザ２１は、フレーム画像を提供するＵＲＬのホームページを取得し、第１画面として表示部１５に表示し、ＩＭＧのｆｒｍｓｈｏｔタグの書式、および、フレーム画像の属性を調べ、特殊属性記述が存在し、書式が正当であれば、入力部１４からの指示によりカメラ制御部２２を起動し、カメラ１６で撮影された動画をフレーム画像に重ねて表示部１５に表示する。カメラ制御部２２は、入力部１４からの指示により動画像から作成された静止画像とフレーム画像との重ね合わせ画像を作成し、記憶部１７に格納する。【選択図】      図１
2004207838.tif 000002
【特許請求の範囲】
【請求項１】
通信により取得されたフレーム画像のＨＴＭＬのＩＭＧ記述に含まれる特殊属性記述の存在、特殊属性記述に関する書式を調べ、特殊属性記述が存在し、書式が正当であれば、処理を続けるブラウザ部と、
前記ブラウザ部により起動され、カメラで撮影される動画像を前記ブラウザ部に渡し、動画像から静止画像を作成し、フレーム画像と静止画像とを重ね合わせた重ね合わせ画像を作成し記憶装置に格納するカメラ制御部とを有することを特徴とする画像撮影システム。
【請求項２】
通信により取得されたフレーム画像のＨＴＭＬのＩＭＧ記述に含まれる特殊属性記述の存在、特殊属性記述に関する書式を調べ、特殊属性記述が存在し、書式が正当であれば、処理を続けるブラウザ部と、
前記ブラウザ部により起動され、カメラで撮影される動画像を前記ブラウザ部に渡し、動画像から静止画像を作成し、フレーム画像と静止画像とを重ね合わせた重ね合わせ画像を作成し記憶装置に格納するカメラ制御部とを有することを特徴とする携帯電話。
【請求項３】
通信により取得されたフレーム画像のＨＴＭＬのＩＭＧ記述に含まれる特殊属性記述の存在、特殊属性記述に関する書式、フレーム画像の透過属性を調べ、特殊属性記述が存在し、書式が正当で、フレーム画像が透過であれば、処理を続けるブラウザ部と、
前記ブラウザ部により起動され、カメラで撮影される動画像を前記ブラウザ部に渡し、動画像から静止画像を作成し、フレーム画像と静止画像とを重ね合わせた重ね合わせ画像を作成し記憶装置に格納するカメラ制御部とを有することを特徴とする画像撮影システム。
【請求項４】
通信により取得されたフレーム画像のＨＴＭＬのＩＭＧ記述に含まれる特殊属性記述の存在、特殊属性記述に関する書式を調べ、フレーム画像の透過属性を調べ、特殊属性記述が存在し、書式が正当で、フレーム画像が透過であれば、処理を続けるブラウザ部と、
前記ブラウザ部により起動され、カメラで撮影される動画像を前記ブラウザ部に渡し、動画像から静止画像を作成し、フレーム画像と静止画像とを重ね合わせた重ね合わせ画像を作成し記憶装置に格納するカメラ制御部とを有することを特徴とする携帯電話。
【請求項５】
通信により取得されたフレーム画像のＨＴＭＬのＩＭＧ記述に含まれる特殊属性記述の存在、特殊属性記述に関する書式を調べ、フレーム画像の透過属性を調べ、特殊属性記述が存在し、書式が正当で、フレーム画像が透過であれば、動画像を受け取りフレーム画像と動画像とを重ねて表示させるブラウザ部と、
前記ブラウザ部により起動され、カメラで撮影される動画像を前記ブラウザ部に渡し、動画像から静止画像を作成し、フレーム画像と静止画像とを重ね合わせた重ね合わせ画像を作成し記憶装置に格納するカメラ制御部とを有することを特徴とする画像撮影システム。
【請求項６】
通信により取得されたフレーム画像のＨＴＭＬのＩＭＧ記述に含まれる特殊属性記述の存在、特殊属性記述に関する書式を調べ、フレーム画像の透過属性を調べ、特殊属性記述が存在し、書式が正当で、フレーム画像が透過であれば、動画像を受け取りフレーム画像と動画像とを重ねて表示させるブラウザ部と、
前記ブラウザ部により起動され、カメラで撮影される動画像を前記ブラウザ部に渡し、動画像から静止画像を作成し、フレーム画像と静止画像とを重ね合わせた重ね合わせ画像を作成し記憶装置に格納するカメラ制御部とを有することを特徴とする携帯電話。
【請求項７】
通信により取得されたフレーム画像のＨＴＭＬのＩＭＧ記述に含まれる特殊属性記述の存在、特殊属性記述に関する書式を調べ、特殊属性記述が存在し、書式が正当であれば、処理を続けるブラウザ手順と、
前記ブラウザ手順により起動され、カメラで撮影される動画像を前記ブラウザ手順に渡し、動画像から静止画像を作成し、フレーム画像と静止画像とを重ね合わせた重ね合わせ画像を作成し記憶装置に格納するカメラ制御手順とを含むことを特徴とする画像撮影方法。
【請求項８】
通信により取得されたフレーム画像のＨＴＭＬのＩＭＧ記述に含まれる特殊属性記述の存在、特殊属性記述に関する書式、フレーム画像の透過属性を調べ、特殊属性記述が存在し、書式が正当で、フレーム画像が透過であれば、処理を続けるブラウザ手順と、
前記ブラウザ手順により起動され、カメラで撮影される動画像を前記ブラウザ手順に渡し、動画像から静止画像を作成し、フレーム画像と静止画像とを重ね合わせた重ね合わせ画像を作成し記憶装置に格納するカメラ制御手順とを含むことを特徴とする画像撮影方法。
【請求項９】
通信により取得されたフレーム画像のＨＴＭＬのＩＭＧ記述に含まれる特殊属性記述の存在、特殊属性記述に関する書式を調べ、フレーム画像の透過属性を調べ、特殊属性記述が存在し、書式が正当で、フレーム画像が透過であれば、動画像を受け取りフレーム画像と動画像とを重ねて表示させるブラウザ手順と、
前記ブラウザ手順により起動され、カメラで撮影される動画像を前記ブラウザ手順に渡し、動画像から静止画像を作成し、フレーム画像と静止画像とを重ね合わせた重ね合わせ画像を作成し記憶装置に格納するカメラ制御手順とを含むことを特徴とする画像撮影方法。
【請求項１０】
通信により取得されたフレーム画像のＨＴＭＬのＩＭＧ記述に含まれる特殊属性記述の存在、特殊属性記述に関する書式を調べ、特殊属性記述が存在し、書式が正当であれば、処理を続けるブラウザ手順と、
前記ブラウザ手順により起動され、カメラで撮影される動画像を前記ブラウザ手順に渡し、動画像から静止画像を作成し、フレーム画像と静止画像とを重ね合わせた重ね合わせ画像を作成し記憶装置に格納するカメラ制御手順とをコンピュータに実行させることを特徴とする画像撮影プログラム。
【請求項１１】
通信により取得されたフレーム画像のＨＴＭＬのＩＭＧ記述に含まれる特殊属性記述の存在、特殊属性記述に関する書式、フレーム画像の透過属性を調べ、特殊属性記述が存在し、書式が正当で、フレーム画像が透過であれば、処理を続けるブラウザ手順と、
前記ブラウザ手順により起動され、カメラで撮影される動画像を前記ブラウザ手順に渡し、動画像から静止画像を作成し、フレーム画像と静止画像とを重ね合わせた重ね合わせ画像を作成し記憶装置に格納するカメラ制御手順とをコンピュータに実行させることを特徴とする画像撮影プログラム。
【請求項１２】
通信により取得されたフレーム画像のＨＴＭＬのＩＭＧ記述に含まれる特殊属性記述の存在、特殊属性記述に関する書式を調べ、フレーム画像の透過属性を調べ、特殊属性記述が存在し、書式が正当で、フレーム画像が透過であれば、動画像を受け取りフレーム画像と動画像とを重ねて表示させるブラウザ手順と、
前記ブラウザ手順により起動され、カメラで撮影される動画像を前記ブラウザ手順に渡し、動画像から静止画像を作成し、フレーム画像と静止画像とを重ね合わせた重ね合わせ画像を作成し記憶装置に格納するカメラ制御手順とをコンピュータに実行させることを特徴とする画像撮影プログラム。
【発明の詳細な説明】
【０００１】
【発明の属する技術分野】
本発明は、画像撮影システム、携帯電話、画像撮影方法、および、画像撮影プログラムに関し、特に、重ね合わせ画像を作成する画像撮影システム、携帯電話、画像撮影方法、および、画像撮影プログラムに関する。
【０００２】
【従来の技術】
現在、カメラを搭載した携帯電話・ＰＨＳ等の移動通信端末の普及がめざましい。同時に、カメラを用いた特有の機能も増えており、そのひとつとして、あらかじめ用意したフレーム画像をファインダに表示して撮影を行う「フレーム撮影」機能が挙げられる。
【０００３】
カメラ付き移動通信端末の爆発的な普及、および移動通信端末のカメラに「遊び」の要素が強いことを考えると、今後「フレーム撮影」機能がいずれの端末にも標準装備されることは容易に予想できる。これらのフレーム画像は、Ｗｅｂサイトでも公開されており、ユーザはこれを「フレーム撮影」に利用することが可能である。
【０００４】
しかし、Ｗｅｂサイト上のフレーム画像を利用して「フレーム撮影」を行うためには、フレーム画像のダウンロードが必須であり、フレーム画像の設定、カメラの起動、とユーザは多くの操作を必要とする。頻繁に使用するカメラ機能だけに、これは煩わしい。これらの技術に関しては、例えば、下記の技術がある。
【０００５】
特許文献１記載の技術は、「Ｗｅｂブラウザが動作する電子機器にカメラを連結して、その電子機器と写真撮影応用システムとをインターネット通信網により接続し、この写真撮影応用システム内に配置されたＷＷＷサーバにフレーム画像データベースと撮影画像情報データベースを配備したことにより、ユーザがフレーム画像データベースから好みのフレーム画像を選択して電子機器に連結されたカメラを用いて写真撮影を行い、撮影した画像をインターネットを経由して撮影画像情報データベースに保管し、保管された撮影画像を元にしてユーザが各種の画像サービスの提供を享受するようにしたＷｅｂ上で動作する写真撮影応用システムを基本手段とする」技術である。
【０００６】
また、特許文献２記載の技術は、「ＨＴＭＬで記述されたホームページをネットワークから取得し表示することができ、かつ、ＨＴＭＬ中のＩＭＧタグによって挿入された画像を表示することができる移動通信端末装置のホームページ表示装置において、表示しようとする画像の画像サイズ情報を取得する画像サイズ情報取得手段と、画像サイズ情報取得手段により取得した画像サイズ情報と予め記憶されている表示画面の表示画面サイズ情報とを比較して画像が表示画面におさまるように画像の画像サイズを変更して変更画像を生成する画像サイズ変更手段と、画像サイズ変更手段からの変更画像を表示画面に表示させる表示手段とを有する」技術である。
【０００７】
また、特許文献３記載の技術は、「高解像度の写真をオンサイト記録するための電池式ポータブルシステムであって、電子カメラと無線電話を含む一体型手持ち式装置と、無線ネットワーク及びそれに接続されたカメラ外記憶装置と、上記一体型手持ち式装置に内蔵されていて、上記無線電話を含み、上記電子カメラの出力を上記無線ネットワークで上記カメラ外記憶装置へ伝送するための手段とを備えて、上記電子カメラによってある位置で撮った高解像度写真をカメラ外に記憶できるようにすることによって、高解像度のためのカメラ内記憶及び電力の必要量を最小限に抑える」技術である。
【０００８】
【特許文献１】
特開２００２−１４２２１１号公報
【特許文献２】
特開２０００−２２２３３０号公報
【特許文献３】
特開平１０−３０４２９３号公報
【０００９】
【発明が解決しようとする課題】
上述した従来技術の問題点は、制御、構成が複雑になることである。
【００１０】
その理由は、カメラの制御等に、ＨＴＭＬのタグを使用していないからである。
【００１１】
本発明の目的は、ＨＴＭＬにカメラの制御を行う特殊属性記述を定義し、その特殊属性記述を実行することにより、カメラで撮影された動画像から容易にフレーム付きの静止画像を作成することである。
【００１２】
【課題を解決するための手段】
本発明の第１の画像撮影システムは、通信により取得されたフレーム画像のＨＴＭＬのＩＭＧ記述に含まれる特殊属性記述の存在、特殊属性記述に関する書式を調べ、特殊属性記述が存在し、書式が正当であれば、処理を続けるブラウザ部と、前記ブラウザ部により起動され、カメラで撮影される動画像を前記ブラウザ部に渡し、動画像から静止画像を作成し、フレーム画像と静止画像とを重ね合わせた重ね合わせ画像を作成し記憶装置に格納するカメラ制御部とを有することを特徴とする。
【００１３】
本発明の第１の携帯電話は、通信により取得されたフレーム画像のＨＴＭＬのＩＭＧ記述に含まれる特殊属性記述の存在、特殊属性記述に関する書式を調べ、特殊属性記述が存在し、書式が正当であれば、処理を続けるブラウザ部と、前記ブラウザ部により起動され、カメラで撮影される動画像を前記ブラウザ部に渡し、動画像から静止画像を作成し、フレーム画像と静止画像とを重ね合わせた重ね合わせ画像を作成し記憶装置に格納するカメラ制御部とを有することを特徴とする。
【００１４】
本発明の第２の画像撮影システムは、通信により取得されたフレーム画像のＨＴＭＬのＩＭＧ記述に含まれる特殊属性記述の存在、特殊属性記述に関する書式、フレーム画像の透過属性を調べ、特殊属性記述が存在し、書式が正当で、フレーム画像が透過であれば、処理を続けるブラウザ部と、前記ブラウザ部により起動され、カメラで撮影される動画像を前記ブラウザ部に渡し、動画像から静止画像を作成し、フレーム画像と静止画像とを重ね合わせた重ね合わせ画像を作成し記憶装置に格納するカメラ制御部とを有することを特徴とする。
【００１５】
本発明の第２の携帯電話は、通信により取得されたフレーム画像のＨＴＭＬのＩＭＧ記述に含まれる特殊属性記述の存在、特殊属性記述に関する書式を調べ、フレーム画像の透過属性を調べ、特殊属性記述が存在し、書式が正当で、フレーム画像が透過であれば、処理を続けるブラウザ部と、前記ブラウザ部により起動され、カメラで撮影される動画像を前記ブラウザ部に渡し、動画像から静止画像を作成し、フレーム画像と静止画像とを重ね合わせた重ね合わせ画像を作成し記憶装置に格納するカメラ制御部とを有することを特徴とする。
【００１６】
本発明の第３の画像撮影システムは、通信により取得されたフレーム画像のＨＴＭＬのＩＭＧ記述に含まれる特殊属性記述の存在、特殊属性記述に関する書式を調べ、フレーム画像の透過属性を調べ、特殊属性記述が存在し、書式が正当で、フレーム画像が透過であれば、動画像を受け取りフレーム画像と動画像とを重ねて表示させるブラウザ部と、前記ブラウザ部により起動され、カメラで撮影される動画像を前記ブラウザ部に渡し、動画像から静止画像を作成し、フレーム画像と静止画像とを重ね合わせた重ね合わせ画像を作成し記憶装置に格納するカメラ制御部とを有することを特徴とする。
【００１７】
本発明の第３の携帯電話は、通信により取得されたフレーム画像のＨＴＭＬのＩＭＧ記述に含まれる特殊属性記述の存在、特殊属性記述に関する書式を調べ、フレーム画像の透過属性を調べ、特殊属性記述が存在し、書式が正当で、フレーム画像が透過であれば、動画像を受け取りフレーム画像と動画像とを重ねて表示させるブラウザ部と、前記ブラウザ部により起動され、カメラで撮影される動画像を前記ブラウザ部に渡し、動画像から静止画像を作成し、フレーム画像と静止画像とを重ね合わせた重ね合わせ画像を作成し記憶装置に格納するカメラ制御部とを有することを特徴とする。
【００１８】
本発明の第１の画像撮影方法は、通信により取得されたフレーム画像のＨＴＭＬのＩＭＧ記述に含まれる特殊属性記述の存在、特殊属性記述に関する書式を調べ、特殊属性記述が存在し、書式が正当であれば、処理を続けるブラウザ手順と、前記ブラウザ手順により起動され、カメラで撮影される動画像を前記ブラウザ手順に渡し、動画像から静止画像を作成し、フレーム画像と静止画像とを重ね合わせた重ね合わせ画像を作成し記憶装置に格納するカメラ制御手順とを含むことを特徴とする。
【００１９】
本発明の第２の画像撮影方法は、通信により取得されたフレーム画像のＨＴＭＬのＩＭＧ記述に含まれる特殊属性記述の存在、特殊属性記述に関する書式、フレーム画像の透過属性を調べ、特殊属性記述が存在し、書式が正当で、フレーム画像が透過であれば、処理を続けるブラウザ手順と、前記ブラウザ手順により起動され、カメラで撮影される動画像を前記ブラウザ手順に渡し、動画像から静止画像を作成し、フレーム画像と静止画像とを重ね合わせた重ね合わせ画像を作成し記憶装置に格納するカメラ制御手順とを含むことを特徴とする。
【００２０】
本発明の第３の画像撮影方法は、通信により取得されたフレーム画像のＨＴＭＬのＩＭＧ記述に含まれる特殊属性記述の存在、特殊属性記述に関する書式を調べ、フレーム画像の透過属性を調べ、特殊属性記述が存在し、書式が正当で、フレーム画像が透過であれば、動画像を受け取りフレーム画像と動画像とを重ねて表示させるブラウザ手順と、前記ブラウザ手順により起動され、カメラで撮影される動画像を前記ブラウザ手順に渡し、動画像から静止画像を作成し、フレーム画像と静止画像とを重ね合わせた重ね合わせ画像を作成し記憶装置に格納するカメラ制御手順とを含むことを特徴とする。
【００２１】
本発明の第１の画像撮影プログラムは、通信により取得されたフレーム画像のＨＴＭＬのＩＭＧ記述に含まれる特殊属性記述の存在、特殊属性記述に関する書式を調べ、特殊属性記述が存在し、書式が正当であれば、処理を続けるブラウザ手順と、前記ブラウザ手順により起動され、カメラで撮影される動画像を前記ブラウザ手順に渡し、動画像から静止画像を作成し、フレーム画像と静止画像とを重ね合わせた重ね合わせ画像を作成し記憶装置に格納するカメラ制御手順とをコンピュータに実行させることを特徴とする。
【００２２】
本発明の第２の画像撮影プログラムは、通信により取得されたフレーム画像のＨＴＭＬのＩＭＧ記述に含まれる特殊属性記述の存在、特殊属性記述に関する書式、フレーム画像の透過属性を調べ、特殊属性記述が存在し、書式が正当で、フレーム画像が透過であれば、処理を続けるブラウザ手順と、前記ブラウザ手順により起動され、カメラで撮影される動画像を前記ブラウザ手順に渡し、動画像から静止画像を作成し、フレーム画像と静止画像とを重ね合わせた重ね合わせ画像を作成し記憶装置に格納するカメラ制御手順とをコンピュータに実行させることを特徴とする。
【００２３】
本発明の第３の画像撮影プログラムは、通信により取得されたフレーム画像のＨＴＭＬのＩＭＧ記述に含まれる特殊属性記述の存在、特殊属性記述に関する書式を調べ、フレーム画像の透過属性を調べ、特殊属性記述が存在し、書式が正当で、フレーム画像が透過であれば、動画像を受け取りフレーム画像と動画像とを重ねて表示させるブラウザ手順と、前記ブラウザ手順により起動され、カメラで撮影される動画像を前記ブラウザ手順に渡し、動画像から静止画像を作成し、フレーム画像と静止画像とを重ね合わせた重ね合わせ画像を作成し記憶装置に格納するカメラ制御手順とをコンピュータに実行させることを特徴とする。
【００２４】
【発明の実施の形態】
次に、本発明の第１の実施の形態について図面を参照して詳細に説明する。
【００２５】
図１は、本発明の第１の実施の形態の構成を示すブロック図である。
【００２６】
図１を参照すると、本発明の第１の実施の形態は、制御を実施する制御部１１と、インターネット等と通信を行う通信部１２と、キー、カーソル、決定ボタン等の入力部１４と、ファインダ、ディスプレイ等の表示部１５と、画像を撮影するカメラ１６と、メモリ等の記憶部１７とから構成される。また、制御部１１には、ブラウザ２１、カメラ制御部２２が含まれる。
【００２７】
たとえば、本発明の第１の実施の形態は、携帯電話等に適用される。
【００２８】
本発明の第１の実施の形態は、既存のＨＴＭＬタグ「ＩＭＧ」タグに、カメラ１６を制御する属性記述を追加し、その属性記述を処理する。たとえば、ブラウザ２１が、属性記述を解析する。
【００２９】
以下、属性記述を、たとえば、「ｆｒｍｓｈｏｔ」（特殊な属性記述）と記述した場合について説明する。
【００３０】
この書式は、たとえば、＜ＩＭＧ  ｓｒｃ＝”ｘｘｘ．ｇｉｆ”  ｆｒｍｓｈｏｔ＝”ｐ”＞の形式で使用される。
【００３１】
ｐの値で、画面サイズを指定する。たとえば、ｐに入る値は「Ｓ」または「Ｌ」とする。Ｓは、スモールサイズ（大きなサイズ）、Ｌは、ラージサイズ（待ちうけ画面のサイズ）である。
【００３２】
本機能が有効となる条件は以下の通りである。
【００３３】
（１）ｆｒｍｓｈｏｔ＝”ｐ”の記述が正しいこと（すなわち、「Ｓ」または「Ｌ」であること）。
【００３４】
（２）ｓｒｃ属性によって指定された画像ファイルが、透過性であること（ｘｘｘ．ｇｉｆのデータ属性により判断される）。ここで、画像は、ＧＩＦ以外のものであってもかまわない。
【００３５】
これらの条件が満たされないときはｆｒｍｓｈｏｔ属性を無視する。
【００３６】
（１）、（２）が満たされると、画面上にｘｘｘ．ｇｉｆの画像を表示する。ここで画像の画面上の位置を矢印キー等で移動可能とし、決定することで、ブラウザ２１からカメラ制御部２２を起動する。選択された画像をフレームとしてファインダ表示（ディスプレイ表示）を行い、撮影可能状態となる。
【００３７】
ブラウザ２１内のＨＴＭＬタグ解析機構に、ｆｒｍｓｈｏｔ属性の処理機能が含まれる。さらに、ブラウザ２１からカメラ制御部２２を介してカメラ１６を起動する。このとき、記憶部１７にブラウザ２１で取得した画像データや画像サイズ等を格納する。
【００３８】
次に、本発明の第１の実施の形態の動作について図面を参照して説明する。
【００３９】
図２は、本発明の第１の実施の形態の動作を示すフローチャートである。
【００４０】
図３は、本発明の第１の実施の形態の動作を示すフローチャートである。
【００４１】
図４は、表示画面を示す説明図である。
【００４２】
図５は、表示画面を示す説明図である。
【００４３】
次に、本発明の実施の形態の動作について図面を参照して説明する。
【００４４】
まず、利用者により入力部１４を利用して、携帯電話等の制御部１１のブラウザ２１が起動され（図２ステップＳ１）、フレーム画像を提供するＵＲＬが指定されると、ブラウザ２１は、通信部１２を介して、指定されたフレーム画像を提供するＵＲＬのホームページを取得し、第１画面として表示部１５に表示する（図２ステップＳ２、図４（ａ））。
【００４５】
図４（ａ）を参照すると、第１画面は、表題「１２月のフレーム画像」と、選択項目「１．メリークリスマス、２．サンタとトナカイ、３．雪だるま」を含む。
【００４６】
次に、利用者が、入力部１４を利用して、たとえば、「１．メリークリスマス」を選択（カーソル利用）、決定（決定ボタン利用）すると、ブラウザ２１は、通信部１２を介して、「１．メリークリスマス」に対応するホームページを取得し、第２画面として表示部１５に表示する（図２ステップＳ３、図４（ｂ））。
【００４７】
図４（ｂ）を参照すると、第２画面は、タイトル「１．メリークリスマス」、フレーム画像（箱、人形、Ｍｅｒｒｙ  Ｃｈｒｉｓｔｍａｓからなる）を含む。
【００４８】
次に、利用者が、入力部１４を利用して、第２画面を下方にスクロールし（カーソル利用）、希望するところで、決定すると（決定ボタン利用）、ブラウザ２１は、長方形枠付きの第３画面を表示する（図２ステップＳ４、図４（ｃ））。
【００４９】
図４（ｃ）を参照すると、第３画面は、長方形枠、フレーム画像（箱、人形、Ｍｅｒｒｙ  Ｃｈｒｉｓｔｍａｓからなる）を含む。
【００５０】
次に、利用者が、入力部１４を利用して、決定すると（決定ボタン利用）、ブラウザ２１は、フレーム画像のＩＭＧ記述に「ｆｒｍｓｈｏｔ」が存在するかどうかを調べ（図２ステップＳ５）、「ｆｒｍｓｈｏｔ」が存在すれば（図２ステップＳ５／ＹＥＳ）、ｆｒｍｓｈｏｔ＝”ｐ”の記述が正しいかどうかを調べる（図２ステップＳ６）。
【００５１】
次に、ブラウザ２１は、ｆｒｍｓｈｏｔ＝”ｐ”の記述が正しければ（図２ステップＳ６／ＹＥＳ）、”ｐ”の値（すなわち、Ｓ、または、Ｌ）を記憶部１７に格納する。次に、ブラウザ２１は、フレーム画像の属性が、透過ＧＩＦであるかどうかを調べ（図２ステップＳ７）、透過ＧＩＦであれば（図２ステップＳ７／ＹＥＳ）、カメラ制御部２２を起動する（図２ステップＳ８）。
【００５２】
ブラウザ２１は、「ｆｒｍｓｈｏｔ」が存在しないか（図２ステップＳ５／ＮＯ）、ｆｒｍｓｈｏｔ＝”ｐ”の記述が不正であるか（図２ステップＳ６／ＮＯ）、または、フレーム画像の属性が、透過ＧＩＦでない場合（図２ステップＳ７／ＮＯ）、表示部１５にエラーメッセージを表示する（図２ステップＳ１４）。
【００５３】
カメラ制御部２２は、カメラ１６を起動し、カメラ１６により撮影されている動画像をブラウザ２１に渡す（図３ステップＳ９）。
【００５４】
ブラウザ２１は、動画像を受け取ると、”ｐ”の値にしたがって、フレーム画像の大きさを縮小、拡大、または、そのままの大きさで表示し、フレーム画像の内部に、動画像を重ねて表示する（図３ステップＳ１０、図５（ａ））。
【００５５】
図５（ａ）を参照すると、フレーム画像の内部に透過的に動画像が表示される。
【００５６】
次に、利用者が、決定すると（決定ボタンを利用）、ブラウザ２１は、フレーム画像を伴う静止画像作成指示をカメラ制御部２２に通知する（図３ステップＳ１１）。
【００５７】
カメラ制御部２２は、フレーム画像を伴う静止画作成指示を受け取ると、動画像から静止画像を作成し、フレーム画像と重ね合わせた重ね合わせ画像を記憶部１７に格納し、ブラウザ２１に重ね合わせ画像作成完了を通知する（図３ステップＳ１２）。
【００５８】
利用者が入力部１４（クリアキー）により、クリアを実施すると、ブラウザ２１は、第２画像の表示に戻る（図３ステップＳ１３、図５（ｂ））。
【００５９】
重ね合わせ画像の表示部１５への表示は、カメラ制御部２２が実施してもかまわない。この場合、カメラ制御部２２からブラウザ２１には、動画像が渡されない。
【００６０】
次に、本発明の第２の実施の形態について図面を参照して詳細に説明する。
【００６１】
本発明の第２の実施の形態は、通信部１２を介してホームページをとりだし、ホームページであるフレーム画像を含む第１画面を表示部１５に表示させる手順（図２ステップＳ２）と、選択された第２画面を表示部１５に表示させる手順（図２ステップＳ３）と、長方形枠付きの第３画面を表示部１５に表示させる手順（図２ステップＳ４）と、フレーム画像を示すＩＭＧ記述に、「ｆｒｍｓｈｏｔ」が存在するかどうか調べる手順と（図２ステップＳ５）、ｆｒｍｓｈｏｔ＝”ｐ”のｐが、正しいかどうか調べる手順（図２ステップＳ６）と、フレーム画像が透過ＧＩＦであるかどうか調べる手順と（図２ステップＳ７）、「ｆｒｍｓｈｏｔ」が存在し（図２ステップＳ５／ＹＥＳ）、ｆｒｍｓｈｏｔ＝”ｐ”のｐが、正しく（図２ステップＳ６／ＹＥＳ）、かつ、フレーム画像が透過ＧＩＦであると（図２ステップＳ７／ＹＥＳ）、カメラ１６からの動画像をフレーム画像に重ね合わせて表示部１５に表示させる手順（図３ステップＳ１０）と、動画像から静止画像を作成し、その重ね合わせ画像を記憶部１７に格納する手順（図３ステップＳ１１、Ｓ１２）と、「ｆｒｍｓｈｏｔ」が存在しないか（図２ステップＳ５／ＮＯ）、ｆｒｍｓｈｏｔ＝”ｐ”のｐが、正しくないか（図２ステップＳ６／ＮＯ）、または、フレーム画像が透過ＧＩＦでない場合に（図２ステップＳ７／ＮＯ）、エラーメッセージを表示部１５に表示させる手順（図２ステップＳ１４）とを含む方法である。
【００６２】
次に、本発明の第３の実施の形態について図面を参照して詳細に説明する。
【００６３】
本発明の第３の実施の形態は、通信部１２を介してホームページをとりだし、ホームページであるフレーム画像を含む第１画面を表示部１５に表示させる手順（図２ステップＳ２）と、選択された第２画面を表示部１５に表示させる手順（図２ステップＳ３）と、長方形枠付きの第３画面を表示部１５に表示させる手順（図２ステップＳ４）と、フレーム画像を示すＩＭＧ記述に、「ｆｒｍｓｈｏｔ」が存在するかどうか調べる手順と（図２ステップＳ５）、ｆｒｍｓｈｏｔ＝”ｐ”のｐが、正しいかどうか調べる手順（図２ステップＳ６）と、フレーム画像が透過ＧＩＦであるかどうか調べる手順と（図２ステップＳ７）、「ｆｒｍｓｈｏｔ」が存在し（図２ステップＳ５／ＹＥＳ）、ｆｒｍｓｈｏｔ＝”ｐ”のｐが、正しく（図２ステップＳ６／ＹＥＳ）、かつ、フレーム画像が透過ＧＩＦであると（図２ステップＳ７／ＹＥＳ）、カメラ１６からの動画像をフレーム画像に重ね合わせて表示部１５に表示させる手順（図３ステップＳ１０）と、動画像から静止画像を作成し、その重ね合わせ画像を記憶部１７に格納する手順（図３ステップＳ１１、Ｓ１２）と、「ｆｒｍｓｈｏｔ」が存在しないか（図２ステップＳ５／ＮＯ）、ｆｒｍｓｈｏｔ＝”ｐ”のｐが、正しくないか（図２ステップＳ６／ＮＯ）、または、フレーム画像が透過ＧＩＦでない場合に（図２ステップＳ７／ＮＯ）、エラーメッセージを表示部１５に表示させる手順（図２ステップＳ１４）とをコンピュータ（たとえば、携帯電話に内蔵される）に実行させるプログラムである。
【００６４】
【発明の効果】
本発明の第１の効果は、容易にフレーム画像を入手できることである。
【００６５】
その理由は、通信を用いてフレーム画像を入手するからである。
【００６６】
第２の効果は、フレーム画像と静止画像との重ね合わせ画像が容易に作成できることである。
【００６７】
その理由は、フレーム画像を示すＨＴＭＬのＩＭＧにカメラ制御用の特殊属性記述を定義し、その特殊属性記述を処理することにより、カメラを制御し、フレーム画像と静止画像との重ね合わせ画像を作成するからである。
【図面の簡単な説明】
【図１】本発明の第１の実施の形態の構成を示すブロック図である。
【図２】本発明の第１の実施の形態の動作を示すフローチャートである。
【図３】本発明の第１の実施の形態の動作を示すフローチャートである。
【図４】表示画面を示す説明図である。
【図５】表示画面を示す説明図である。
【符号の説明】
１１    制御部
１２    通信部
１４    入力部
１５    表示部
１６    カメラ
１７    記憶部
２１    ブラウザ
２２    カメラ制御部
【図１】
2004207838.tif 000003
【図２】
2004207838.tif 000004
【図３】
2004207838.tif 000005
【図４】
2004207838.tif 000006
【図５】
2004207838.tif 000007